(57)【要約】【課題】オクテット単位で処理する伝送制御装置及び伝送制御方法に関し、同期用ビットがオクテット単位でない場合でも、正常に処理する。【解決手段】バッファ１と、オクテット単位でフレームの転送制御を行うフレーム転送部２と、フレーム間に流量制限を行うギャップ期間を挿入する流量制限処理部３と、フレームを送出する出力処理部４と、図示を省略した処理部及び付加部と、フレーム長チェックカウンタ５を含むチェック部とを備え、プリアンブル等の同期用ビットの長さについてオクテット単位に対する端数を求め、この端数又は端数から求めた余剰ビットを示す付加情報を付加部に於いてフレームに付加する。出力処理部４は、付加情報を基に、余剰ビットと付加情報とを削除したフレームを送出する。【選択図】          図１
2004297253.tif 000002
【特許請求の範囲】
【請求項１】
同期用ビットを付加したフレームを受信処理して伝送する伝送制御装置に於いて、
受信した前記フレームを一時的に蓄積するバッファと、
該バッファから前記フレームをオクテット単位で読出して転送処理するフレーム転送部と、
前記同期用ビットの長さがオクテット単位の長さであるか否か且つオクテット単位の長さに対する端数又は該端数を基に余剰ビットを求めるチェック部と、
該チェック部により求めた前記端数又は余剰ビットを示す情報を含むオクテット単位の長さの付加情報を前記フレームに付加する付加部と、
該付加部により前記フレームに付加した前記付加情報を基に前記余剰ビット及び前記付加情報を削除して、フレームを送出する出力処理部と、
該出力処理部からのフレームを送出処理する処理部と
を備えたことを特徴とする伝送制御装置。
【請求項２】
前記出力処理部の前段に流量制限処理部を設け、該流量制限処理部は、前記チェック部による前記同期用ビットのオクテット単位に対する端数又は該端数を基に求めた余剰ビットの情報を基に、受信フレーム長を求めて、該フレーム間に挿入するギャップ期間を算出する構成を有することを特徴とする請求項１記載の伝送制御装置。
【請求項３】
同期用ビットを付加したフレームを受信してバッファに一時的に蓄積し、オクテット単位で読出して伝送制御する伝送制御方法に於いて、
前記バッファからオクテット単位で読出して、前記同期用ビットの長さをカウントしてオクテット単位の長さに対する端数を求め、該端数又は該端数を基に求めた余剰ビットを示す情報を含むオクテット単位の付加情報を付加部に於いて前記フレームに付加し、出力処理部に於いて前記付加情報を基に、前記余剰ビット及び前記付加情報を削除して送出する過程を含む
ことを特徴とする伝送制御方法。
【発明の詳細な説明】
【０００１】
【発明の属する技術分野】
本発明は、同期用ビットが付加されたフレームをオクテット単位で処理する構成を備えた伝送制御装置及び伝送制御方法に関する。
【０００２】
【従来の技術】
ＩＰ（Ｉｎｔｅｒｎｅｔ  Ｐｒｏｔｏｃｏｌ）インタフェースを備えた伝送制御装置に於いて、端末側からのフレームを、ＳＯＮＥＴ／ＳＤＨ（Ｓｙｎｃｈｒｏｎｏｕｓ  Ｏｐｔｉｃａｌ  Ｎｅｔｗｏｒｋ／Ｓｙｎｃｈｒｏｎｏｕｓ  Ｄｉｇｉｔａｌ  Ｈｉｅｒａｒｃｈｙ）インタフェースにマッピングして伝送する機能を有する構成が知られている。このような伝送システムに於いて、ＱｏＳ（Ｑｕａｌｉｔｙ  ｏｆ  Ｓｅｒｖｉｃｅ；サービス品質）に従った流量制御を行う手段が適用されている。
【０００３】
このＱｏＳによる流量制御は、フレーム間に挿入するギャップ期間ＧＡＰを、ＱｏＳとフレーム長との情報を基に求めるものであり、そのギャップ期間ＧＡＰは、例えば、
ＧＡＰ＝（１００×フレーム長）÷流入制限値−フレーム長
として算出するものである。ネットワーク上では、プリアンブルを含む長さのイーサフレームが伝送されるものであるから、ギャップ期間ＧＡＰを求める為には、プリアンブルを含むフレーム長を求める必要がある。
【０００４】
一般的には、流量制御を行う前に、受信したフレームの各種エラーチェックやパフォーマンスモニタチェック等を行う。又伝送フレームは、同期用ビットとしてのプリアンブル、ＳＦＤ（Ｓｔａｒｔ  Ｆｌａｇ  Ｄｅｌｉｍｉｔｅｒ；フレーム開始デリミタ）を含み、且つ送信元や送信先のアドレス情報，データ，チェック情報等を含むフォーマット構成を有し、前述の各種のチェックは、ＳＦＤ検出により、その後のフレーム本体について行われる。
【０００５】
通常は、プリアンブルはＳＦＤを含めて６４バイト（８オクテット）、このプリアンブルを除くフレーム長は、６４〜１５１８バイト（６４オクテット〜１５１８オクテット）である。又ＶＬＡＮ（Ｖｉｒｔｕａｌ  Ｌｏｃａｌ  ＡｒｅａＮｅｔｗｏｒｋ；仮想ローカルエリアネットワーク）タグ等が付加される場合には、フレーム長としてはタグ等のバイト数分が付加される。通常のフレーム構成としては、オクテット単位の構成であるから、フレームの処理部は、オクテット長を基本とした回路構成としている。
【０００６】
図４は従来の伝送制御装置の要部を示し、４１は端末側からのイーサフレームを受信して一時的に蓄積するテンポラリバッファ、４２はフレーム転送部、４３は流量制限処理部、４４はネットワーク側に送出する出力処理部、４５はフレーム長チェックカウンタ、４６はＳＦＤ検出部、４７はエラーチェック部を示す。なお、出力処理部４４の後段のフレームの宛先送出処理等を行う処理部は図示を省略している。
【０００７】
フレーム長チェックカウンタ４５によりプリアンブルを含む全フレーム長についてカウントする。又ＳＦＤ検出部４６により、プリアンブルの次に付加されているＳＦＤを検出し、エラーチェック部４７に通知する。エラーチェック部４７は、ＳＦＤ以降のフレーム本体のフレーム長が規定の最大値を超えているか、又は最小値より短いかのチェックを行う。チェック結果、良好であれば、フレーム転送部４２に転送トリガを加えることにより、フレーム転送部４２は、テンポラリバッファ４１に一時的に蓄積されたフレームを読出して流量制限処理部４３に転送する。
【０００８】
流量制限処理部４３は、フレーム長チェックカウンタ４５により求めたプリアンブルを含むフレーム長の情報を基に、前述のギャップ期間ＧＡＰを算出し、前回送出したフレームと今回送出するフレームとの間の期間が、算出したギャップ期間ＧＡＰとなった時に、今回のフレームを送出するように、出力処理部４４に通知する。それにより、所望の帯域でフレームをネットワーク側へ送出することができる。
【０００９】
フレーム構成は、例えば、図５の（Ａ）に概略を示すように、プリアンブル＋ＳＦＤと、アドレス部ＡＤと、データ部と、ＦＣＳ（Ｆｒａｍｅ  Ｃｈｅｃｋ  Ｓｅｑｕｅｎｃｅ）とを含み、オクテット（８ビット）単位の構成を有するものである。従って、伝送制御装置の各部もオクテット単位で処理する構成とし、回路構成の簡単化を図ることができる。
【００１０】
又７バイトのプリアンブルと、１バイトのフレーム開始デリミタと、６バイトの宛先アドレスと、６バイトの発信元アドレスと、２バイトのフレームタイプと、０〜１５００バイトのデータと、０〜４６バイトのデータ・パディングと、４バイトのＣＲＣとによるフレーム構成とし、ＣＲＣ演算機能を利用して、このＣＲＣ演算結果からデータ・パケットの属性を認識する方法が知られている（例えば、特許文献１参照）。
【００１１】
又プリアンブルの長さを、優先度が高い場合は短く、優先度が低い場合は長くするように設定して、優先度に対応したフレーム送信を行う手段も知られている（例えば、特許文献２参照）。又プリアンブルと同一のビットパターンが含まれている場合に、再びプリアンブルとして誤検出する問題を回避する為に、プリアンブルの次にフレームのレングス情報とＦＣＳとを含むヘッダを、プリアンブルを有するフレームの先頭に付加して伝送する手段も知られている（例えば、特許文献３参照）。
【００１２】
【特許文献１】
特開２００１−７８６０号公報
【特許文献２】
特開平６−２５２９２８号公報
【特許文献３】
特開２００１−２１１１７７号公報
【００１３】
【発明が解決しようとする課題】
端末側からのイーサフレームの先頭のプリアンブル（ＳＦＤを含む）は、前述のように、６４ビット長（８オクテット長）とする場合が一般的である。従って、伝送制御装置に於いては、オクテット単位で処理する構成としている。しかし、端末側からの伝送途中に於けるノイズ等の影響によるプリアンブルのビット欠けや余分なビットの付加、或いは、端末側からオクテット単位ではないプリアンブルを付加して送信する構成を有する場合、オクテット単位で処理する伝送制御装置に於いては、受信したフレームの最後尾に、オクテット単位に対する端数となる余剰ビットが付加された状態として送出することになる。
【００１４】
例えば、図５の（Ａ）に示すオクテット単位の正常のプリアンブルが付加されているフレームに対して、（Ｂ）に示すように、オクテット単位の長さに対する端数ａビットを有する場合、テンポラリバッファ４１からオクテット単位で読出すことにより、フレームの後端には（８−ａ）ビット分の余剰ビットが付加された状態となる。それにより、出力処理部４４の後段のレイヤ２処理等を行う処理部に於いて不都合が生じる問題がある。又流量制限処理部３に於けるギャップ期間ＧＡＰの算出が不正確となる問題がある。
【００１５】
しかし、従来は、プリアンブル長が変化する場合として、そのプリアンブル長を、優先度に対応して変更することが知られているが、オクテット単位で処理する機能を有するシステムに於けるフレームの伝送処理過程で、プリアンブルがオクテット単位の長さでない場合の問題点は提起されていない。このようなオクテット単位の長さではないプリアンブルを含むフレームを処理する為の構成は、オクテット単位で処理する構成に比較して複雑となり、コストアップとなる問題がある。
本発明は、オクテット単位でフレーム処理を行うと共に、プリアンブルがオクテット単位でない場合でも、正常に処理することを目的とする。
【００１６】
【課題を解決するための手段】
本発明の伝送制御装置は、図１を参照して説明すると、フレーム開始デリミタ（ＳＦＤ）を含むプリアンブル、即ち、同期用ビットを付加したフレームを受信処理して伝送する伝送制御装置に於いて、受信したフレームを一時的に蓄積するバッファ１と、このバッファ１からフレームをオクテット単位で読出して転送処理するフレーム転送部２と、同期用ビットの長さがオクテット単位の長さであるか否か且つオクテット単位の長さに対する端数又はこの端数を基にオクテット単位の処理による余剰ビットを求めるプリアンブル長チェックカウンタ８等を含むチェック部と、このチェック部により求めた端数又は余剰ビットを示す情報を含むオクテット単位の長さの付加情報をフレームに付加する付加部と、この付加部によりフレームに付加した付加情報を基に、余剰ビット及び付加情報を削除して、フレームを送出する出力処理部４と、この出力処理部４からのフレームを送出処理する処理部とを備えている。
【００１７】
又出力処理部４の前段に流量制限処理部３を設け、この流量制限処理部３は、チェック部による同期用ビットのオクテット単位に対する端数又は余剰ビットを示す情報を基に、受信フレーム長を求めて、フレーム間に挿入するギャップ期間を算出する構成を有するものである。
【００１８】
本発明の伝送制御方法は、フレーム開始デリミタ（ＳＦＤ）を含むプリアンブル、即ち、同期用ビットを付加したフレームを受信してバッファ１に一時的に蓄積し、オクテット単位で読出して伝送制御する伝送制御方法に於いて、バッファ１からオクテット単位で読出して、同期用ビットの長さをカウントしてオクテット単位の長さに対する端数を求める。例えば、ＳＦＤ検出部６によるＳＦＤ前のプリアンブル長をプリアンブル長カウンタによりカウントし、カウント値を８で除算して余りを端数とすることができる。又この端数を基にオクテット単位で処理することによる余剰ビットを求める。この端数又は余剰ビットを示す情報を含むオクテット単位の付加情報を付加部に於いてフレームに付加し、出力処理部は、この付加情報を基に、余剰ビット及び付加情報を削除して送出する過程を含むものである。
【００１９】
【発明の実施の形態】
図１は本発明の一実施の形態の説明図であり、１は図示を省略した端末側からのイーサフレームを受信して一時的に蓄積するバッファ（従来の図４のテンポラリバッファに相当する）、２はフレーム転送部、３は流量制限処理部、４は図示を省略したネットワーク側に対してイーサフレームを送出する出力処理部、５はフレーム長チェックカウンタ、６はＳＦＤ検出部、７はエラーチェック部、８はプリアンブル長チェックカウンタを示す。なお、プリアンブル長チェックカウンタ８をチェック部、又はＳＦＤ検出部６も含めてチェック部とすることができ、又はフレーム長チェックカウンタ５とＳＦＤ検出部６とエラーチェック部７とプリアンブル長チェックカウンタ８とを含めてチェック部とすることができる。又出力処理部４の後段に設ける処理部は図示を省略し、又付加情報をフレームに付加する付加部は、図示を省略しているが、例えば、フレーム転送部２に設けることができる。
【００２０】
端末側から受信したイーサフレームは、フレーム開始デリミタ（ＳＦＤ）を含むプリンアンブル、即ち、電気信号による同期用ビットを付加したイーサフレームで、バッファ１に順次蓄積される。そして、その過程でフレーム長チェックカウンタ５は、先頭のプリアンブルからカウントを開始してフレーム長を求める。このフレーム長が予め定められた所定範囲、即ち、規定の最短長以上であるか、又は最大長以下であるかをエラーチェック部７によりチェックする。チェック結果、所定範囲内のフレーム長であると、転送トリガをフレーム転送部２に加える。それにより、フレーム転送部は、バッファ１に蓄積されたフレームをオクテット単位で読出して転送する。又ＳＦＤ検出部６は、プリアンブルがオクテット単位でない場合でも、フレームのＳＦＤを検出することができる構成とする。
【００２１】
又プリアンブル長チェックカウンタ８は、プリアンブルを先頭からカウントし、ＳＦＤ検出部６によるＳＦＤ検出信号を基にプリアンブル長を求め、そのプリアンブル長を８で除算して端数（余り）を求める。即ち、プリアンブルが、オクテット単位の長さであるか否か及びその端数を求める。なお、オクテット単位の長さの場合は端数は０となる。例えば、図５の（Ｂ）に示すプリアンブル＋ＳＦＤの長さが、オクテット単位の長さに対して端数ａ（ビット）を含む場合、オクテット単位の処理により、このフレームの後端には、図５の（Ｂ）に示すように（８−ａ）ビットの余剰ビットが付加された状態となる。従って、端数を求めることにより、この端数から余剰ビットを求めることができる。
【００２２】
この端数又は余剰ビットを示す情報をオクテット単位の長さの付加情報としてフレームの例えば後端に付加する。この付加情報をフレームに付加する付加部は、バッファ１と出力処理部４との間に設けることができるもので、例えば、フレーム転送部２内に設けることができる。フレーム転送部２は、バッファ１からオクテット単位で読出して転送処理を行うものであり、又流量制限処理部３は、転送されたフレームの送出間隔を制御するもので、フレーム間に挿入する前述のギャップ期間ＧＡＰは、ＧＡＰ＝（１００×フレーム長）÷流入制限値−フレーム長として算出し、出力処理部４に転送する。
【００２３】
この場合、余剰ビットを含まないフレーム長として算出するもので、その為に、前述の付加情報による端数を識別し、全フレーム長から（１オクテット−端数）＝余剰ビットを求めて、或いは、プリアンブル長チェックカウンタ８を含むチェック部からの端数の情報又は余剰ビットの情報を基に、全フレーム長からこの余剰ビットを除いて実際のフレーム長を求め、前述のギャップ期間を算出する。従って、オクテット単位で処理する構成に於いて、端末側がオクテット単位ではない同期用ビットを含むフレームを送出する場合又は伝送過程に於けるノイズの影響による同期用ビットの付加或いは欠落等により、同期用ビットがオクテット単位に対する端数を含む場合でも、実際のフレーム長を基に流量制限制御を行うことができるから、伝送制御装置から伝送網に送出する帯域制御の精度を向上することができる。
【００２４】
図２は内部転送フレームの説明図であり、プリアンブル＋ＳＦＤの同期用ビットがオクテット単位の長さに対して端数ａビットを含む場合、前述のように、バッファ１からオクテット単位で読出して転送することにより、ＦＣＳの後に、（８−ａ）の余剰ビットが付加されることになる。チェック部は、同期用ビット長を求めて、８で除算し、余りの端数ａビットを求め、付加部に於いて、この端数ａビットの情報をオクテット単位の長さの付加情報ＨＤとして、又は求めた端数から余剰ビットを求めて、この余剰ビットの情報をオクテット単位の付加情報ＨＤとして、例えば、図示のように、（８−ａ）の余剰ビットの後に付加する。なお、同期用ビット長がオクテット単位の長さの場合は、端数は０となり、余剰ビットも０となる。この０の端数又は余剰ビットの情報を付加情報によって表すものである。
【００２５】
従って、少なくとも出力処理部４に転送されるフレームには、付加情報ＨＤが付加されており、流量制限処理部３は、この付加情報ＨＤ又はプリアンブル長チェックカウンタ８等によるチェック部からの端数の情報を基に、フレーム間に挿入するギャップ期間ＧＡＰを算出することができる。
【００２６】
又出力処理部４は、付加情報ＨＤを識別して端数の情報から余剰ビットを求め、又余剰ビットを示す情報を基に、フレームの後端に付加された状態の余剰ビットを削除し、且つ付加情報ＨＤを削除し、バッファ１により受信した状態のフレームを復元して次段の処理部（図示を省略）に転送し、処理部に於いてレイヤ２処理、例えば、余剰ビットが削除されていることにより、フレームチェックシーケンス処理やＭＡＣアドレスによる出力ポートの検索処理等を行ってフレームを送出する。
【００２７】
図３は本発明の他の実施の形態の説明図であり、１１はバッファ、１２はフレーム転送部、１３は流量制限処理部、１４は出力処理部、１５はフレーム長チェックカウンタ、１６はＳＦＤ検出部、１７はエラーチェック部、１８はプリアンブル長チェックカウンタ、１９はプリアンブル生成部（同期用ビット生成部）を示す。
【００２８】
バッファ１１と、フレーム長チェックカウンタ１５と、ＳＦＤ検出部１６と、エラーチェック部１７と、プリアンブル長チェックカウンタ１８とは、図１に示す同一名称の構成と同一の機能を有するものであり、プリアンブル＋ＳＦＤの同期用ビットがオクテット単位の長さに対する端数を求め、この端数又は端数から求めた余剰ビットを示す情報のオクテット単位の長さの付加情報ＨＤ（図２参照）を付加部（図示せず）に於いて付加し、流量制限処理部１３は、付加情報ＨＤによる端数の情報、又はプリアンブル長チェックカウンタ１８等のチェック部からの端数又は余剰ビットを示す情報を基に、実際のフレーム長を求めて、フレーム間のギャップ期間ＧＡＰを求め、出力処理部１４に対しては、このギャップ期間ＧＡＰをおいてフレームを転送する。
【００２９】
出力処理部１４は、この付加情報ＨＤによる端数の情報又は余剰ビットの情報による余剰ビットと、付加情報と、先頭の同期用ビットとを削除したフレーム本体の先頭に、プリアンブル生成部１９に於いて生成したプリアンブル＋ＳＦＤの同期用ビットを付加する。この同期用ビットを所定長、例えば、オクテット単位の長さとし、フレーム本体の先頭に付加することにより、オクテット単位の長さのフレーム構成として、次段の処理部に転送する。
【００３０】
従って、この実施の形態の伝送制御装置からは、端末から受信したフレームの同期用ビットがオクテット単位の長さでない場合でも、オクテット単位の長さの同期用ビットが付加されて送出されるから、受信側に於いては、オクテット単位で処理する構成によりフレームの受信処理が可能となる。なお、プリアンブル生成部１９を、受信側の処理構成に対応して、オクテット単位の長さではない予め設定された長さの同期用ビットを生成する構成することも可能である。
【００３１】
（付記１）同期用ビットを付加したフレームを受信処理して伝送する伝送制御装置に於いて、受信した前記フレームを一時的に蓄積するバッファと、該バッファから前記フレームをオクテット単位で読出して転送処理するフレーム転送部と、前記同期用ビットの長さがオクテット単位の長さであるか否か且つオクテット単位の長さに対する端数又は該端数を基に余剰ビットを求めるチェック部と、該チェック部により求めた前記端数又は余剰ビットを示す情報を含むオクテット単位の長さの付加情報を前記フレームに付加する付加部と、該付加部により前記フレームに付加した前記付加情報を基に前記余剰ビット及び前記付加情報を削除して、フレームを送出する出力処理部と、該出力処理部からのフレームを送出処理する処理部とを備えたことを特徴とする伝送制御装置。
【００３２】
（付記２）前記出力処理部の前段に流量制限処理部を設け、該流量制限処理部は、前記チェック部による前記同期用ビットのオクテット単位に対する端数又は該端数を基に求めた余剰ビットの情報を基に、受信フレーム長を求めて、該フレーム間に挿入するギャップ期間を算出する構成を有することを特徴とする付記１記載の伝送制御装置。
（付記３）前記出力処理部は、前記付加情報を基に前記端数と１オクテットとの差分に相当する余剰ビットと前記付加情報と前記同期用ビットとを削除したフレームに対して、所定長の同期用ビットを生成して付加する為の同期用ビット生成部を有することを特徴とする付記１記載の伝送制御装置。
【００３３】
（付記４）同期用ビットを付加したフレームを受信してバッファに一時的に蓄積し、オクテット単位で読出して伝送制御する伝送制御方法に於いて、前記バッファからオクテット単位で読出して、前記同期用ビットの長さをカウントしてオクテット単位の長さに対する端数を求め、該端数又は該端数を基に求めた余剰ビットを示す情報を含むオクテット単位の付加情報を付加部に於いて前記フレームに付加し、出力処理部に於いて前記付加情報を基に、前記余剰ビット及び前記付加情報を削除して送出する過程を含むことを特徴とする伝送制御方法。
【００３４】
（付記５）前記バッファからオクテット単位で読出して、前記同期用ビットの長さをカウントしてオクテット単位の長さに対する端数を求め、該端数又は該端数を基に求めた余剰ビットを示す情報を含むオクテット単位の付加情報を付加部に於いてフレームに付加し、流量制限処理部に於いて前記付加情報により前記端数を認識して、前記余剰ビットを除くフレーム長を基に、フレーム間のギャップ期間を算出して、該ギャップ期間をおいて出力処理部へフレームを転送する過程を含むことを特徴とする付記４記載の伝送制御方法。
（付記６）前記出力処理部に於いて前記余剰ビットと付加情報と共に同期用ビットを削除したフレーム本体の先頭に、同期用ビットの生成部により生成した所定長の同期用ビットを付加して送出する過程を含むことを特徴とする付記４又は５記載の伝送制御方法。
【００３５】
【発明の効果】
以上説明したように、本発明は、オクテット単位で処理する構成のバッファ１とフレーム転送部２と出力処理部４とを含み、又流量制限処理部３を含み、バッファ１に一時的に蓄積したフレームの先頭のプリアンブル＋ＳＦＤの同期用ビットのオクテット単位の長さに対する端数を求め、この端数又はこの端数を基に求めた余剰ビットを示す情報を含む付加情報をフレームに付加し、出力処理部４は、この付加情報を基に、（８−端数）＝余剰ビットの余剰ビットと付加情報とを削除したフレームを、処理部に転送するものであり、同期用ビットがオクテット単位の長さでない場合でも、オクテット単位の構成で正しい処理が可能となり、その場合の余剰ビットを削除したフレームとして送出することができる。
【００３６】
又受信側の構成に対応して、受信フレームの同期用ビットと同一の同期用ビット或いは新たなオクテット単位の長さの同期用ビットを生成して付加することができる。又端数の情報により流量制限処理部３に於ける流量制限処理が、実際のフレーム長に基づいて行うことができ、従って、正確な流量制御が可能となる利点がある。
【図面の簡単な説明】
【図１】本発明の一実施の形態の説明図である。
【図２】内部転送フレームの説明図である。
【図３】本発明の他の実施の形態の説明図である。
【図４】従来の伝送制御装置の説明図である。
【図５】フレーム構成の説明図である。
【符号の説明】
１  バッファ
２  フレーム転送部
３  流量制限処理部
４  出力処理部
５  フレーム長チェックカウンタ
６  ＳＦＤ検出部
７  エラーチェック部
８  プリアンブル長チェックカウンタ
【図１】
2004297253.tif 000003
【図２】
2004297253.tif 000004
【図３】
2004297253.tif 000005
【図４】
2004297253.tif 000006
【図５】
2004297253.tif 000007